(57)【要約】【課題】  遊技球の流れを多様化し、遊技の興趣を高める。【解決手段】  本発明は、遊技盤１の前面側の遊技領域３に設けられた弾球遊技機の遊技部品５であって、遊技領域３に配設された特定の入賞口６の上方において左右に揺動可能且つ遊技球１０が転動可能な複数のステージ部１８，１９，２０を有する球振り分け手段１２と、遊技球１０をそれぞれ異なる確率で各ステージ部１８，１９，２０に誘導可能な複数の球流路１５，１６，１７を有する球誘導手段１１とを備えており、球誘導手段１１により遊技球１０が球振り分け手段１２のどのステージ部１８，１９，２０に誘導されたかによって、特定の入賞口６への遊技球１０の入賞確率が異なるように構成されていることを特徴とする。【選択図】  図１
2006020677.tif 000002
【特許請求の範囲】
【請求項１】
遊技盤の前面側の遊技領域に設けられた弾球遊技機の遊技部品であって、
前記遊技領域に配設された特定の入賞口の上方において左右に揺動可能且つ遊技球が転動可能な複数のステージ部を有する球振り分け手段と、
前記遊技球をそれぞれ異なる確率で前記各ステージ部に誘導可能な複数の球流路を有する球誘導手段と、
を備えており、前記球誘導手段により前記遊技球が前記球振り分け手段のどのステージ部に誘導されたかによって、前記特定の入賞口への前記遊技球の入賞確率が異なるように構成されていることを特徴とする弾球遊技機の遊技部品。
【請求項２】
前記球振り分け手段のステージ部には、前記遊技球が前記特定の入賞口に最も高い確率で入賞可能な第１ステージ部と、該第１ステージ部より低い確率で入賞可能な第２ステージ部とが設けられている請求項１に記載の弾球遊技機の遊技部品。
【請求項３】
前記球誘導手段には、前記遊技球を前記ステージ部に最も高い確率で誘導可能な第１球流路と、該第１球流路より低い確率で誘導可能な第２球流路とが設けられている請求項１又は２に記載の弾球遊技機の遊技部品。
【発明の詳細な説明】
【技術分野】
【０００１】
本発明は、パチンコ遊技機のセンター役物等の弾球遊技機の遊技部品に関し、特に、特定の入賞口の上方において左右に揺動可能なステージ部を備えた弾球遊技機の遊技部品に関する。
【背景技術】
【０００２】
従来、図柄表示装置を備えたパチンコ遊技機が広く親しまれており、この図柄表示装置の周りには、センター役物が設けられている。このセンター役物は、ほぼ始動入賞口の上方に配設されたステージ部と、遊技領域に打ち出された遊技球を入球口から受け入れ、ステージ部に誘導する球流路とを備えており、このステージ部に誘導された遊技球はステージ部上を転動し、始動入賞口又はそれ以外の遊技領域へ振り分けられるようになっている。そして、遊技球が始動入賞口に入賞した場合には、図柄表示装置において所要の図柄変動表示がなされ、その図柄の停止態様に応じて遊技者に有利な遊技状態が付与されるようになっている（例えば、特許文献１，２参照）。
【特許文献１】特開２００１−７０５３７号公報
【特許文献２】特許第３２３１９８０号公報
【発明の開示】
【発明が解決しようとする課題】
【０００３】
しかしながら、上記した従来のパチンコ遊技機のセンター役物においては、入球口に入った遊技球が常に同一の球流路を通ってステージ部に誘導されるようになっており、遊技球の流れが常に一定となるため、遊技者が球の流れに飽きを生じ易くなり、遊技の興趣に欠けるといった問題があった。
【０００４】
本発明は、上記した課題を解決すべくなされたものであり、遊技球の流れが変化に富み、遊技の興趣を高めることができる弾球遊技機の遊技部品を提供しようとするものである。
【課題を解決するための手段】
【０００５】
本発明は、遊技盤１の前面側の遊技領域３に設けられた弾球遊技機の遊技部品５であって、遊技領域３に配設された特定の入賞口６の上方において左右に揺動可能且つ遊技球１０が転動可能な複数のステージ部１８，１９，２０を有する球振り分け手段１２と、遊技球１０をそれぞれ異なる確率で各ステージ部１８，１９，２０に誘導可能な複数の球流路１５，１６，１７を有する球誘導手段１１とを備えており、球誘導手段１１により遊技球１０が球振り分け手段１２のどのステージ部１８，１９，２０に誘導されたかによって、特定の入賞口６への遊技球１０の入賞確率が異なるように構成されていることを特徴とする。
【０００６】
また、球振り分け手段１２のステージ部には、遊技球１０が特定の入賞口６に最も高い確率で入賞可能な第１ステージ部１８と、第１ステージ部１８より低い確率で入賞可能な第２ステージ部１９とが設けられているのがよい。
【０００７】
さらに、球誘導手段１１には、遊技球１０をステージ部１８，１９，２０に最も高い確率で誘導可能な第１球流路１５と、第１球流路１５より低い確率で誘導可能な第２球流路１６とが設けられていてもよい。
【発明の効果】
【０００８】
本発明によれば、球誘導手段に複数の球流路が形成されているため、遊技球の流れが多様化され、遊技者は球の行方に興味を持ちながら遊技を行なうことででき、遊技者の興味を遊技に強く引きつけ、且つ興趣を起こさせることができる。
【０００９】
また、球振り分け手段が左右に揺動するようになっているため、遊技者にインパクトを与えることができ、遊技の興趣を高めることができる。
【００１０】
さらに、遊技球が特定の入賞口に最も高い確率で入賞可能な第１ステージ部や、遊技球をステージ部に最も高い確率で誘導可能な第１球流路とが設けられている場合には、遊技者の遊技に対する期待感をさらに高めることができ、遊技性のより一層の向上を図ることが可能となる等、種々の優れた効果を得ることができる。
【発明を実施するための最良の形態】
【００１１】
以下、図面を参照しつつ、本発明の実施の形態について説明する。なお、以下の説明では、本発明をパチンコ遊技機のセンター役物に適用した場合について例示して説明する。
【００１２】
先ず、図１により、パチンコ遊技機の概略構成について説明する。ここで、図１はパチンコ遊技機の遊技盤の正面図を示している。
【００１３】
パチンコ遊技機には、遊技機の機体となる前枠（図示せず）に遊技盤１が収容されており、遊技盤１は、所定板厚の積層合板の表面にセルを貼り付けてルーター加工した化粧版を基板とし、その前面側には、環状に取り付けられたガイドレール２に囲まれて、略円形状の遊技領域３が形成されている。遊技領域３には、その略中央部に図柄表示装置の表示部４が配置されており、図柄表示装置の表示部４の周りにはセンター役物５が設けられている。また、遊技領域３には、センター役物５の下方に始動入賞口６と大入賞口７が上下に配設されており、図柄表示装置の表示部４の下方から始動入賞口６の上方に向かって鉛直方向に入賞口誘導溝８が形成されている。さらに、大入賞口７の下方には、アウト球を排出させるアウト口９が設けられており、始動入賞口６や大入賞口７等の入賞装置に入賞せずに落下したアウト球を遊技盤１の背面側から機外に排出できるようになっている。
【００１４】
次に、図１〜図６を参照しつつ、本発明の実施の形態に係るパチンコ遊技機のセンター役物５について説明する。ここで、図２は本実施の形態におけるセンター役物のステージ部を示す正面図、図３は図２のＡ−Ａ矢視図、図４は図２のＢ−Ｂ矢視図、図５はセンター役物の球振り分け手段が右回転した状態を示す遊技盤の正面図、図６はセンター役物の球振り分け手段が左回転した状態を示す遊技盤の正面図である。
【００１５】
本実施の形態に係るセンター役物５は、図柄表示装置の表示部４の両側にそれぞれ形成された球誘導手段１１と、図柄表示装置の表示部４と始動入賞口６との間において左右に揺動可能に設けられた球振り分け手段１２と、球振り分け手段１２を揺動させる揺動駆動機構１３と、揺動駆動機構１３の動作を所望に制御可能な遊技制御装置の役物制御手段（図示せず）とを主体に構成されている。
【００１６】
球誘導手段１１は、上部に設けられた円形状の入球口１４と、入球口１４の下方において内側から外側に３層に渡って円弧状に形成された第１〜第３球流路１５，１６，１７の３種類の球流路とから構成されている。
【００１７】
球振り分け手段１２は、船をイメージした形状を成しており、その上部には前方に向かって下り階段状に第１〜第３ステージ部１８，１９，２０が形成されており、第１〜第３ステージ部１８，１９，２０はいずれも左右が高く中央部が低くなるように凹状に湾曲して形成されている。第１ステージ部１８には、左右両端部に側壁部２１が形成されていると共に前端部に前壁部２２が形成されており、側壁部２１及び前壁部２２により第１ステージ部１８上の遊技球１０が左右及び前方に落下しないようになっている。また、第１ステージ部１８の中央部には、第１球落下孔２３が穿設されており、第１球落下孔２３からは、球振り分け手段１２が水平状態の時に入賞口誘導溝８に連通可能な第１球誘導路２４が形成されている。すなわち、一旦、第１ステージ部１８に誘導された遊技球１０は、確実に第１球落下孔２３から第１球誘導路２４及び入賞口誘導溝８を通って始動入賞口６の真上に落下するようになっているため、ほぼ１００％（１００％又は１００％に極めて近い割合）の確率で始動入賞口６に入賞可能となっている。
【００１８】
第２ステージ部１９には、前端部に前壁部２５が形成されており、前壁部２５により第２ステージ部１９上の遊技球１０が前方に落下しないようになっている。また、第２ステージ部１９の左右端部は、第２ステージ部１９全体の湾曲凹形状を延長させた形状を成しており、遊技球１０は所定のタイミングで左右に落下可能となっている。さらに、第２ステージ部１９の中央部には、第２球落下孔２６が穿設されており、第２球落下孔２６からは、球振り分け手段１２が水平状態の時に入賞口誘導溝８に連通可能な第２球誘導路２７が形成されている。また、第３ステージ部２０は、僅かに前方に向かって下傾して形成されていると共に左右端部は僅かに凸状に湾曲しており、第３ステージ部２０上の遊技球１０はすべて前方又は左右から落下するようになっている。
【００１９】
すなわち、第２ステージ部１９に誘導された遊技球１０は、所定の確率で第２球落下孔２６から第２球誘導路２７及び入賞口誘導溝８を通って始動入賞口６の真上に落下し、第３ステージ部２０に誘導された遊技球１０は成り行きで遊技領域を落下する。したがって、第２ステージ部１９に誘導された遊技球１０が始動入賞口６に入賞する確率は、第１ステージ部１８に誘導された場合より低く、第３ステージ部２０に誘導された場合より高くなっている。
【００２０】
一方、球振り分け手段１２の後面側には、各ステージ部１８，１９，２０の湾曲形状に沿って凹状に湾曲したレール部２８が突設されており、レール部２８の下面にはギア部２９が形成されている。また、球振り分け手段１２の後面側下部にはテーパ状に逃げ部３０が切欠されており、入賞口誘導溝８を流下した遊技球１０がその下端部から逃げ部３０を通って始動入賞口６の真上に落下可能となっている。
【００２１】
揺動駆動機構１３は、遊技盤１に形成された駆動機構収容部３１に取り付けられる駆動モータ３２と、駆動モータ３２の前方において回転軸３４に固着される駆動ギア３３とを主体に構成されており、駆動ギア３３は球振り分け手段１２のギア部２９に歯合するように設けられている。そして、前記役物制御手段は、揺動駆動機構１３の駆動モータ３２を所望の速度で正逆回転制御可能なように設けられている。
【００２２】
次に、本実施の形態に係るパチンコ遊技機のセンター役物５の動作について説明する。
【００２３】
遊技者により打ち出された遊技球１０は、遊技領域３を落下する過程において入球口１４に入球すると、第１〜第３球流路１５，１６，１７のいずれか１の球流路に振り分けられる。そして、遊技球１０は第１〜第３球流路１５，１６，１７のいずれか１の球流路を通過した後、左右に揺動する第１〜第３ステージ部１８，１９，２０のいずれか１のステージ部に転がり出るか、或いは、いずれのステージ部にも到達することなく、直接、遊技領域３に落下する。
【００２４】
この場合、遊技球１０が第１〜第３ステージ部１８，１９，２０のいずれか１のステージ部に転がり出る確率は、第１球流路１５を通過した場合が最も高く、第３球流路１７を通過した場合が最も低くなる。具体的には、例えば、遊技球１０が第１球流路１５に振り分けられた場合には１００％、第２球流路１６に振り分けられた場合には５０％、第３球流路１５に振り分けられた場合には５％と言うような確率に設定されている。
【００２５】
また、図５に示すように、球振り分け手段１２が右回転し、最も傾斜している状態か、その状態に近い状態（球誘導手段１１と球振り分け手段１２との間の隙間が遊技球１０の外径以下の状態）の時に、正面視左側の第１球流路１５の最下部に遊技球１０が位置している場合、或いは、図６に示すように、球振り分け手段１２が左回転し、最も傾斜している状態か、その状態に近い状態（球誘導手段１１と球振り分け手段１２との間の隙間が遊技球１０の外径以下の状態）の時に、正面視右側の第１球流路１５の最下部に遊技球１０が位置している場合のいずれかのタイミングにおいて、遊技球１０は、ほぼ１００％の確率で第１ステージ部１８に誘導される。
【００２６】
そして、このようなタイミング、或いは、別のタイミングで、遊技球１０が第１ステージ部１８に誘導された場合、側壁部２１及び前壁部２２により左右及び前方への遊技球１０の落下が防止されるため、遊技球１０は第１ステージ部１８を転動後、確実に第１球落下孔２３に入り、第１球誘導路２４内を通過する。そして、この第１球誘導路２４内の遊技球１０は、球振り分け手段１２が揺動する過程で水平状態になった時に、入賞口誘導溝８に移動し、その下端部から遊技領域３に落下する。この場合、遊技球１０の落下位置は、始動入賞口６の真上に位置しているため、ほぼ１００％の確率で始動入賞口６に入賞する。
【００２７】
また、遊技球１０が第２ステージ部１９に誘導された場合には、前壁部２５により遊技球１０の前方への落下は防止されるが、図５又は図６に示すように球振り分け手段１２が右回転又は左回転した時に遊技球１０が左又は右端部から遊技領域３に落下することがある。そのため、遊技球１０が第２ステージ部１９を転動後、第２球落下孔２６に入り、第２球誘導路２７から入賞口誘導溝８を通って遊技領域３に落下し、始動入賞口６に入賞する確率は、遊技球１０が第１ステージ部１８に誘導された場合より低くなる。
【００２８】
さらに、遊技球１０が第３ステージ部２０に誘導された場合には、その遊技球１０は第３ステージ２０上を転動後、第３ステージ部２０の前方への傾斜又は左右端部の湾曲形状に従って、すべて前方又は左右端部から遊技領域３に落下する。この場合、遊技球１０の落下位置は不定となるため、第３ステージ部２０を転動した遊技球が始動入賞口６に入賞する確率は、遊技球１０が第１ステージ部１８又は第２ステージ部１９に誘導された場合と比べて最も低くなる。
【００２９】
なお、遊技領域３内に打ち出された遊技球１０が、第１〜第３球流路１５，１６，１７を通過することなく直接、第１〜第３ステージ部１８，１９，２０のいずれかのステージ部上に落下する場合もあるが、その場合でも、各ステージ部１８，１９，２０に誘導された後の遊技球１０の流れは、上記した場合と同様となる。
【００３０】
そして、上記したように、遊技球１０が始動入賞口６に入賞すると、その都度、前記図柄表示装置において図柄の変動表示が開始され、特定の図柄が揃うと判断された場合、遊技がリーチ状態にあることが報知され、遊技者に期待感を抱かせる。さらにその後、表示部４のすべての図柄が揃うと判断された場合には、遊技が大当り状態にあることが報知され、通常遊技から特別遊技（大当り遊技）に移行される。
【００３１】
このように特別遊技に突入すると、大入賞口７が開放され、その大入賞口７に遊技球１０が入賞した場合には１５球の賞球が遊技者に払い出される。大入賞口７は、開放してから３０秒経過するか、或いは、１０球の入賞があるかのいずれかの事象が発生した場合に一旦閉鎖するが、大入賞口７が開放している間に、特定領域（Ｖゾーン）への入賞があった場合には、大入賞口７は再度開放される。そして、大入賞口７が１６回開放し終えるか、或いは、大入賞口７の開放中に前記特定領域（Ｖゾーン）への入賞がなかった場合には、特別遊技は終了する。
【００３２】
上記したように、本発明によれば、球誘導手段１１に３種類の球流路１５，１６，１７が形成されているため、遊技球１０の流れが多様化され、遊技者は球の行方に興味を持ちながら遊技を行なうことができ、遊技者の興味をパチンコゲームに強く引きつけ、且つ興趣を起こさせることが可能となる。また、球振り分け手段１２が左右に揺動するため、遊技者にインパクトを与えることができ、遊技の興趣を高めることができる。
【００３３】
また、球振り分け手段１２のステージ部には、遊技球１０が始動入賞口６に最も高い確率で入賞可能な第１ステージ部１８と、第１ステージ部１８より低い確率で入賞可能な第２ステージ部１９とが設けられており、さらに、球誘導手段１１には、遊技球１０をステージ部１８，１９，２０に最も高い確率で誘導可能な第１球流路１５と、第１球流路１５より低い確率で誘導可能な第２球流路１６とが設けられている。したがって、遊技者の遊技に対する期待感をさらに高めることができ、遊技性のより一層の向上を図ることが可能となる。
【００３４】
なお、上記した実施の形態では、球誘導手段１１に３種類の球流路１５，１６，１７が設けられ、球振り分け手段１２に３種類のステージ部１８，１９，２０が設けられているが、球流路及びステージ部は２種類又は４種類以上設けられていてもよく、また、球流路とステージ部の設置数は同じでなくてもよい。
【００３５】
また、各ステージ部は、上記した形状や構造に限定されるものではなく、第３ステージ２０にも遊技球１０を入賞口誘導溝８に導く球誘導路を設ける等、各種変更が可能である。
【００３６】
さらに、球振り分け手段１２の揺動制御については各種設定及び変更が可能であり、例えば、その揺動速度が左回転の場合と右回転の場合とで異なるように制御したり、或いは、特別遊技に突入した場合等の所定のタイミングにおいて第１球流路１５から第１ステージ部１８に遊技球１０を誘導させ易い位置に球振り分け手段１２を停止させるように制御したりしてもよい。
【００３７】
さらに、上記実施の形態における大当たり時の賞球数、大入賞口７の開放時間、ラウンド継続回数は単なる例示であり、これらに限定する趣旨ではない。
【００３８】
また、上記実施の形態においては、本発明をパチンコ遊技機のセンター役物に適用した場合について説明したが、これは単なる例示に過ぎず、本発明は、センター役物以外の遊技部品やパチンコ遊技機以外の弾球遊技機にも適用可能であることは言う迄もない。
【図面の簡単な説明】
【００３９】
【図１】本発明の実施の形態における遊技盤を示す正面図である。
【図２】本発明の実施の形態におけるステージ部を示す正面図である。
【図３】図２のＡ−Ａ矢視図である。
【図４】図２のＢ−Ｂ矢視図である。
【図５】本発明の実施の形態に係るパチンコ遊技機のセンター役物の球振り分け手段が右回転した状態を示す遊技盤の正面図である。
【図６】本発明の実施の形態に係るパチンコ遊技機のセンター役物の球振り分け手段が左回転した状態を示す遊技盤の正面図である。
【符号の説明】
【００４０】
１          遊技盤
３          遊技領域
５          センター役物
６          始動入賞口
１０        遊技球
１１        球誘導手段
１２        球振り分け手段
１５        第１球流路
１６        第２球流路
１７        第３球流路
１８        第１ステージ部
１９        第２ステージ部
２０        第３ステージ部
【図１】
2006020677.tif 000003
【図２】
2006020677.tif 000004
【図３】
2006020677.tif 000005
【図４】
2006020677.tif 000006
【図５】
2006020677.tif 000007
【図６】
2006020677.tif 000008